(57)【要約】【課題】遊技者がいかなる状態で発射装置を停止させても、発射レールに２個の遊技球が供給されないようにして、２個打ちを防止することである。【解決手段】発射モータカム２の連続回転により、槌３が弾発回動して球を発射させる発射装置Ａと、該発射装置Ａの槌３の回動に連動し、発射直後の発射レール４に球Ｒを１個ずつ供給するための球供給装置Ｂとを備えた遊技機であって、前記発射モータカム２が、球供給準備開始位置Ｐ２　から発射位置Ｐ３　の間に位置している状態において発射装置Ａを停止させて、該発射モータカム２の逆転により、球供給装置Ｂから無用球Ｒ’が発射レール４に供給されることを防止するために、前記発射モータカム２が逆転することを防止する逆転防止部材Ｅ１　の係合爪（逆転防止爪）１８を、前記発射モータカム２の側に取付けられたラチェット歯車１５に係合させた構成とする。【選択図】　　　　図１６
2004057813.tif 000002
【特許請求の範囲】
【請求項１】
発射モータカムの連続回転により、槌が弾発回動して球を発射させる発射装置と、
該発射装置の槌の回動に連動し、発射直後の発射レールに球を１個ずつ供給するための球供給装置とを備えた遊技機であって、
前記発射モータカムが、球供給準備開始位置から発射位置の間に位置している状態において発射装置を停止させて、該発射モータカムの逆転により、球供給装置から無用球が発射レールに供給されることを防止するために、前記発射モータカムが逆転することを防止する逆転防止部材の逆転防止爪を、前記発射モータカムの側に取付けられたラチェット状の歯車に係合させた構成であることを特徴とする遊技機。
【発明の詳細な説明】
【０００１】
【発明の属する技術分野】
本発明は、発射レールに遊技球が供給された状態で、次の遊技球（無用球）が発射レールに供給されて「２個打ち」するのを防止した遊技機に関するものである。
【０００２】
【従来の技術】
従来の技術を説明するにあたり、本発明の図面を使用して説明する。図２及び図３に示されるように、遊技機の背面側には、発射装置Ａ’と球供給装置Ｂとが配設されている。なお、「発射装置Ａ’」とは、本発明に係る発射モータカム２の逆転防止機構を備えていない従来の発射装置を示し、図５ないし図９は、遊技機の発射装置Ａ’及び球供給装置Ｂを背面側から見たときの状態を示している。そして、背面視において、各部材が時計回りの方向に回転することを「正転」と定める。図２及び図３に示されるように、発射モータ１のモータ軸１ａ（図５参照）に雲形状の発射モータカム２が装着されている。発射モータカム２の正転時において、そのカム面の終端部分２ａがモータ軸１ａのほぼ直下に配置されたときの発射モータカム２の位置を、基準位置Ｐ０　と定義する（図５参照）。このとき、発射モータカム２の回転角度θは０°である。前記発射モータカム２に近接して、槌３が配設されている。この槌３は、発射レール４上に待機している遊技球Ｒを打って発射させるためのものであって、前記槌３の回動支点Ｃ１　に近い部分にほぼ直交して設けられたローラ取付部材１０の先端部にローラ５が取付けられている。そして、発射モータカム２が回転すると、そのカム面と前記槌３に対して一体に取付けられた前記ローラ５とが当接する。このため、発射モータカム２が連続回転することにより、該槌３が、その回動支点Ｃ１　を中心に連続して往復回動する。この槌３には、遊技球Ｒを打つ方向に付勢する引張りばね６が取付けられていて、該槌３は、前記引張りばね６の作用により弾発回動する。
【０００３】
また、図３及び図５に示されるように、前記発射レール４に待機している遊技球Ｒは、隣接する球供給カセット７に取付けられた球供給レール８から供給される。即ち、前記球供給レール８に配置された多数の球Ｒ’が、球供給片９のストッパ部９ａに当接してせき止められている。そして、前記球供給片９の作用（後述）により、最前の球Ｒ’が、球供給カセット７の供給口７ａから発射レール４に供給される。なお、図１において、１１は、発射レール４に供給された遊技球Ｒを落下させないようにするための落下防止ストッパであり、１２は、操作ハンドルである。
【０００４】
また、図５及び図６に示されるように、発射モータカム２が正転し、その回転角度θが当接開始位置Ｐ１　（θ１　≒１４．２°）に達すると、前記発射モータカム２と槌３のローラ５とが当接し、前記槌３が、引張りばね６の弾性復元力に抗して反時計回りに回動する。その状態の発射モータカム２を、図５において二点鎖線で示す。更に発射モータカム２が正転すると、図６に示されるように、槌３に取付けられた球供給針金１３によって、球供給アーム１４が、その回動支点Ｃ２　を中心に時計回りに回動する。その結果、該球供給アーム１４の重り押し片１４ａが、その直上に配設された球供給片９の重り９ｂを押し上げるため、前記球供給片９が、その回動支点Ｃ３　を中心に時計回りに回動する。
【０００５】
また、図６及び図１１に示されるように、発射モータカム２の回転角度θが球供給準備開始位置Ｐ２　（θ２　≒２００．９°）に達すると、球供給片９のストッパ部９ａが更に降下して球Ｒ’との当接が解放され、球供給レール８に配置されている先頭の球Ｒ’が、前記球供給片９の球受け部９ｃに進入して、保持される。槌３は、引張りばね６の弾性復元力に抗して、引き続いて、発射レール４の遊技球Ｒから離隔される方向（反時計回り）に回動する。このように、球供給装置Ｂは、発射装置Ａ’と連動して作動する。
【０００６】
図７及び図１１に示されるように、発射モータカム２の回転角度θが、遊技球Ｒの発射位置Ｐ３　（θ３　≒２９０．３°）を超えると、発射モータカム２と槌３のローラ５との当接が解放され、該槌３は引張りばね６の弾性復元力によって時計回りに急速に弾発回動し、発射レール４に待機されている遊技球Ｒが打たれる。同時に、球供給針金１３が、槌３と共に時計回りに回動する。このため、球供給アーム１４が、その回動支点Ｃ２　を中心に反時計回りに回動すると共に、球供給片９が、その回動支点Ｃ３　を中心に反時計回りに回動する。前記球供給片９は、前記槌３よりも僅かに遅れて回動する。
【０００７】
このときの球供給片９の作用について説明する。上記したように、発射モータカム２の回転角度θが、球供給準備開始位置Ｐ２　を超えている場合、発射レール４には遊技球Ｒが待機していると共に、球供給準備開始位置Ｐ２　を超えてしばらくすると、球供給片９の球受け部９ｃには球Ｒ’が保持される。即ち、図１０に示されるように、球供給片９の球受け部９ｃは、球供給カセット７の供給口７ａの側に向かって傾斜されている。前記球受け部９ｃが、球Ｒ’を保持した状態で降下している場合、球Ｒ’は、供給口７ａにおける球供給カセット７の下側の衝立面７ｂの上縁部に当接している。このため、球Ｒ’が球受け部９ｃに保持される。球供給片９が反時計回りに回動し、前記球受け部９ｃが上昇すると、球受部９ｃと球供給カセット７の下側の衝立面７ｂの上縁部が同レベルに達し、球Ｒ’と衝立面７ｂの上縁部との当接が解放される。球受け部９ｃが傾斜しているため、該球Ｒ’は転動して供給口７ａを通過し発射レール４に供給される。そして、該球Ｒ’が、次の遊技球Ｒとなって発射レール４上に待機する。発射モータカム２が１回転して基準位置Ｐ０　に達すると、再び上記した作用が繰り返され、遊技球Ｒが連続して１個ずつ打たれる。
【０００８】
従来の発射装置Ａ’の場合、遊技者が発射装置Ａ’を停止させると、発射モータ１のモータ軸１ａの回転が停止する。ここで、図１１に示されるように、発射モータカム２の回転角度θが、球供給準備開始位置Ｐ２　から発射位置Ｐ３　の間（２個打ち発生範囲）にあるときに停止させた場合、槌３は、引張りばね６の弾性復元力により、回動支点Ｃ１　を中心に時計回りに回動する。発射モータカム２には一切のトルクが作用していないため、図８に示されるように、槌３の回動に従って発射モータカム２が逆転させられる。同時に、球供給針金１３及び球供給アーム１４を介して球供給片９が反時計回りに回動し、その球受け部９ｃが上昇する。逆転する発射モータカム２の回転角度θが、無用球供給開始位置Ｐ４　（θ４　≒４７．２°）に達すると、球受け部９ｃと球供給カセット７の下側の衝立面７ｂの上縁部が同レベルに達するため、前記球受け部９ｃに保持されていた球Ｒ’が、傾斜する球受け部９ｃを転動して供給口７ａを通過し、発射レール４に供給される。発射モータカム２はそのまま逆転し、当接開始位置Ｐ１　を超えた位置で停止する。
【０００９】
このように、発射モータカム２が逆転すると、前記発射レール４には、既に遊技球Ｒが待機しているため、更に別の球Ｒ’が供給されることとなる。そのため、該発射レール４には２個の遊技球Ｒが配置される。ここで、発射モータカム２が逆転させられる際に、発射レール４に既に遊技球Ｒが待機しているのにもかかわらず、更に供給される球Ｒ’を「無用球」と定義する。この状態で、遊技者が遊技を再開すると、２個の遊技球Ｒが一度に打たれる現象（２個打ち）が発生する。
【００１０】
【発明が解決しようとする課題】
本発明は、上記した不具合に鑑み、遊技者がいかなる状態で発射装置を停止させても、発射レールに２個の遊技球が供給されないようにして、２個打ちを防止することを課題としている。
【００１１】
【課題を解決するための手段】
上記課題を解決するための第１解決手段（請求項１の発明）は、発射モータカムの連続回転により、槌が弾発回動して球を発射させる発射装置と、該発射装置の槌の回動に連動し、発射直後の発射レールに球を１個ずつ供給するための球供給装置とを備えた遊技機であって、前記発射モータカムが、球供給準備開始位置から発射位置の間に位置している状態において発射装置を停止させて、該発射モータカムの逆転により、球供給装置から無用球が発射レールに供給されることを防止するために、前記発射モータカムが逆転することを防止する逆転防止部材の逆転防止爪を、前記発射モータカムの側に取付けられたラチェット状の歯車に係合させた構成であることを特徴としている。
【００１２】
発射モータカムが、球供給準備開始位置から発射位置の間に位置している状態において発射装置を停止させた場合には、槌の正転により発射モータカムが逆転するが、第１解決手段によれば、発射モータカムが逆転を開始しようとすると、逆転防止部材の逆転防止爪と、発射モータカムの側に取付けられたラチェット状の歯車とが係合して、発射モータカムの逆転が防止されると同時に、前記槌は、その途中位置で停止させられる。そして、遊技者の操作によって発射装置が再作動されると、停止中の槌は、逆回転して、発射モータカムが発射位置に達して、槌との係合が解除されると、槌は、発射レールの側に弾発回動させられて、前記発射レール上に待機している１個の遊技球が打ち出される。よって、遊技球の「２個打ち」が防止される。
【００１３】
また、第２解決手段は、第１解決手段において、前記逆転防止部材は、発射モータを取付けるためのベース板に設けられた複数のねじ孔の一つに回動可能に支持されていることを特徴としている。第２解決手段によれば、狭いスペースに逆転防止部材を取付けることができる。
【００１４】
また、第３解決手段は、第１又は第２のいずれかの解決手段において、前記発射モータカムの側に取付けられたラチェット状の歯車には、その一部のみに歯部が形成されていることを特徴としている。
【００１５】
即ち、発射モータカムの歯車は、この発射モータカムが球供給準備開始位置から発射位置の間に位置している状態においてのみ、逆転防止部材の逆転防止爪と係合すれば、「２個打ち」の発生を防止できる。よって、上記した２つの位置の間以外の部分においては、発射モータカムの歯車と、逆転防止部材の逆転防止爪とを係合させる必要はないので、この間の歯部を欠落させられる。この構成によって、発射モータカムの回転中における騒音の発生を抑制できる。
【００１６】
また、第４解決手段は、第１ないし第３のいずれかの解決手段において、前記逆転防止部材の全体形状は、ラチェット状の前記歯車の周囲を囲む形状であることを特徴としている。この構成によって、遊技機の輸送時等に振動が発生しても、逆転防止部材が発射モータカムの歯車から外れなくなる。
【００１７】
また、第５解決手段は、第１ないし第４のいずれかの解決手段において、前記逆転防止部材は、その自重によりラチェット状の前記歯車に押し当てられる構成になっていることを特徴としている。発射モータカムの逆転防止機能が確実になると共に、その構造が簡単に実現できる。
【００１８】
また、第６解決手段は、第１ないし第５のいずれかの解決手段において、前記逆転防止部材は、発射モータカム側の歯車との係合を解除する解除操作部を備えていることを特徴としている。よって、遊技機の製造時やホール設置後において発射調整作業を行う場合には、発射モータを停止させておいて、解除操作部により、逆転防止爪と発射モータカム側の歯車との係合を解除すると、発射モータカムで駆動されて所定位置に達している槌は、正規の方向き逆方向である遊技球の発射位置まで回動可能な状態となる。この状態では、槌は、正逆両方向に自由に回動させられるので、槌の発射調整作業も自由に行える。
【００１９】
【発明の実施の形態】
以下、複数の実施形態を挙げて本発明を更に詳細に説明する。図１は、本発明に係る遊技機を構成する逆転防止部材Ｅ１　を備えた発射装置Ａ及び球供給装置Ｂの正面図であり、図２は、同様の部分を背面側から見た斜視図であり、図３は、同様の部分を背面側の異なる方向から見た斜視図であり、図４は、発射モータ１のベース板１ｂに逆転防止部材Ｅ１　が取付けられた状態を示す斜視図である。また、図５ないし図１１は、本発明の作用を示す図であって、図５ないし図８は、それぞれ発射モータカム２が基準位置Ｐ０　、球供給準備開始位置Ｐ２　、発射位置Ｐ３　及び無用球供給開始位置Ｐ４　に位置している状態の発射装置Ａ及び球供給装置Ｂの背面図であり、図９は、無用球が供給されて「２個打ち」が発生する範囲において発射モータカム２の逆転が防止されている状態を示す発射装置Ａ及び球供給装置Ｂの背面図であり、図１０（イ），（ロ）は、それぞれ球供給片９の球受け部９ｃに球Ｒ’が保持されている状態、及び球受け部９ｃが上昇して、球Ｒ’が発射レール４に供給される状態を示す図であり、図１１は、発射モータカム２の回転角度に応じて発生する異なる状態を示す図である。
【００２０】
本発明の第１実施形態を説明するに当たり、従来の技術で説明した部材と同一の部材には同一の符号を付して、重複説明を避けて異なる部分についてのみ説明する。図１ないし図５に示されるように、発射装置Ａは、発射モータカム２の逆転を防止する逆転防止部材Ｅ１　を備えている。そして、前記発射モータカム２の近傍には、発射レール４に供給された遊技球Ｒを打つための槌３が、回動可能にして配設されている。発射装置Ａの上方には、球供給装置Ｂが配設されており、該球供給装置Ｂは、前記発射装置Ａに連動して作動する。
【００２１】
次に、図２ないし図５を参照にして、発射モータ１のモータ軸１ａに取付けられる発射モータカム２、及びこの発射モータカム２の逆転を防止する逆転防止部材Ｅ１　について詳細に説明する。雲形状をした発射モータカム２の裏面側には、背面から見て発射モータ１のモータ軸１ａが時計方向には自由に回転し得る形状のラチェット歯車１５が一体に取付けられている。また、逆転防止部材Ｅ１　は、前記ラチェット歯車１５の逆転を防止する部材であって、その全体形状は、前記ラチェット歯車１５の廻りを囲み得る弧状形状、即ち「釣り針状」をなしていて、その基端部（取付状態において斜上端部）のボス部１６には、支持ピン１７を挿通するための挿通孔１６ａ（図２参照）が設けられている。また、逆転防止部材Ｅ１　の先端部のわん曲した部分の内周面に、前記ラチェット歯車１５と係合する係合爪１８が形成されている。
【００２２】
また、発射モータ１には、正方形状をしたベース板１ｂが一体に設けられていて、その四隅部には、それぞれねじ孔１ｃが設けられている。そして、前記逆転防止部材Ｅ１　は、前記ベース板１ｂの上側の一方の隅部に設けられたねじ孔１ｃを利用して、該ベース板１ｂに対して回動可能に支持されている。即ち、逆転防止部材Ｅ１　の基端部のボス部１６に設けられた挿通孔１６ａと、前記ベース板１ｂの上側の一方の隅部に設けられたねじ孔１ｃとに、支持ピン１７が挿通されて、逆転防止部材Ｅ１　は、発射モータ１のベース板１ｂに対して支持ピン１７を介して回動可能に支持されている。
【００２３】
このようにして、逆転防止部材Ｅ１　が発射モータ１のベース板１ｂに支持された状態では、その先端部のわん曲した部分は、モータ軸１ａに一体に取付けられた発射モータカム２のラチェット歯車１５の周囲を囲んだ状態となっていると共に、前記逆転防止部材Ｅ１　は、その自重によりラチェット歯車１５に対して当接している。即ち、逆転防止部材Ｅ１　の係合爪１８と、発射モータカム２に一体に取付けられたラチェット歯車１５の歯部１５ａとが係合（噛合）した状態では、発射モータカム２は、正転はするが、逆転はしない「ラチェット構造」となる。このため、遊技機の輸送時等において振動が作用しても、ラチェット歯車１５に対して逆転防止部材Ｅ１　が外れなくなると共に、逆転防止部材Ｅ１　の係合爪１８とラチェット歯車１５の歯部１５ａとの係合が確実となって、作動不良が生じなくなる。そして、逆転防止部材Ｅ１　の上部内側に形成された係合爪１８が、その自重によってラチェット歯車１５と係合可能になっている。本実施形態では、ラチェット歯車１５には、全周に歯部が形成されているので、発射モータカム２の任意の回転角度位置において、その逆転が防止される構成となる。
【００２４】
次に、図１１を参照しながら、本発明に係る発射モータカム２の逆転防止作用について説明する。発射装置Ａを停止させない場合の作用は、従来の発射装置Ａ’の場合と全く同様である。即ち、図５ないし図７に示されるように、発射モータカム２は、正転の場合には、これに一体に取付けられたラチェット歯車１５と逆転防止部材Ｅ１　の係合爪１８とは係合しない。このため、連続回転する発射モータカム２と槌３のローラ５とが当接し、該槌３が引張りばね６の弾性復元力に抗して反時計回りに回動する。発射モータカム２の回転角度θが、球供給準備開始位置Ｐ２　（θ２　≒２００．９°）に達すると、球供給レール８に配置されている球Ｒ’が、球供給片９の球受け部９ｃに進入して、保持される。更に発射モータカム２が回転し、その回転角度θが発射位置Ｐ３　（θ＝θ３　≒２９０．３°）を超えると、発射モータカム２とローラ５との当接が解放され、引張りばね６の復元力によって、槌３が時計回りに急速に弾発回動し、発射レール４に待機している遊技球Ｒが打たれる。そして、その直後に、球供給片９の球受け部９ｃに保持されている球Ｒ’が発射レール４に供給され、次の遊技球Ｒとなって待機する。
【００２５】
次に、発射装置Ａを、２個打ち発生範囲（球供給準備開始位置Ｐ２　から発射位置Ｐ３　の間）で停止させた場合について説明する。この場合、発射モータカム２の回転角度θは、〔２００．　９°＜θ５　＜２９０．３°〕であって、槌３に取付けられた引張りばね６の弾性復元力により、発射モータカム２に対してこれを逆回転させるトルク（回転力）が作用するが、発射モータカム２が逆転しようとする瞬間に、図９に示されるように、発射モータカム２に一体に取付けられたラチェット歯車１５と逆転防止部材Ｅ１　の係合爪１８とが係合して、前記発射モータカム２は、その位置で停止する。よって、発射モータカム２の逆転が防止される。この結果、球供給片９の球受け部９ｃに進入して保持されている球（無用球）Ｒ’が発射レール４に供給されることがなくなって、「２個打ち」が防止される。
【００２６】
この状態で、遊技者が遊技を再開すると、発射モータ１が作動し、発射モータカム２は停止位置から正転を再開する。更に発射モータカム２が正転し、その回転角度が発射位置Ｐ３　を超えると、該発射モータカム２と槌３のローラ５との当接が解放され、引張りばね６の弾性復元力によって槌３が時計回りに急速に弾発回動し、発射レール４に待機している遊技球Ｒが打たれる。なお、発射装置Ａを、当接開始位置Ｐ１　から球供給準備開始位置Ｐ２　の間で停止させた場合においても、発射モータカム２は、その位置で停止し、遊技の再開時には、その停止位置から発射モータカム２は正転を開始する。
【００２７】
上記したように、発射モータカム２は、引張りばね６により常に発射モータ１の回転方向と逆方向の回動付勢力を受けているため、発射モータ１が停止すると発射モータカム２は、槌３の回動により発射モータ１と逆方向に回動させられて、遊技球が発射位置に重ねて供給されて「２個打ち」の現象が生ずる。本発明においては、発射モータ１のモータ軸１ａに取付けられたラチェット歯車１５と、これに係合する逆転防止部材Ｅ１　との組み合わせによって、発射モータカム２の逆回転を防止することにより、「２個打ち」の発生をなくしている。しかし、ラチェット歯車１５と逆転防止部材Ｅ１　との組み合わせにより、発射モータカム２の逆転が防止されると、発射モータカム２と連動して、発射位置と後退位置との間で往復回動を行う槌も、発射モータカム２が停止した位置と連動して、前記両位置の間で停止することとなって、以下のような不自由が発生する。例えば、遊技機の製造時やホール設置後において、遊技機を停止させた状態で発射調整作業（槌の先と遊技球の発射時の芯を合わせる調整作業）を行う際に、槌を手で引っ張ったり押したりして、槌先を発射位置に誘導することができないため、芯合せ調整ができないという不自由がある。
【００２８】
そこで、本発明の第２実施形態は、発射モータ１のモータ軸１ａに取付けられたラチェット歯車４１と逆転防止部材Ｅ２　との係合を解除可能にして、上記した場合に対処可能にしたものである。図１２は、本発明に係る遊技機を構成する逆転防止部材Ｅ２　を備えた発射装置Ａ及び球供給装置Ｂを背面側から見た斜視図であり、図１３は、発射モータ１に取付けられるラチェット歯車４１及び解除操作部４６を備えた逆転防止部材Ｅ２　を主体に示す分解斜視図であり、図１４は、ラチェット歯車４６及び逆転防止部材Ｅ２　が取付けられた発射モータ１の斜視図であり、図１５は、発射モータカム２が球供給準備開始位置Ｐ２　に位置している状態の逆転防止部材Ｅ２　を備えた発射装置Ａ及び球供給装置Ｂの背面図であり、図１６は、上記の状態で、発射モータ１を停止させて、解除操作部４６によりラチェット歯車４１と逆転防止部材Ｅ２　との係合を解除して、槌３が発射位置まで回動された状態の背面図である。なお、上記した第１実施形態と同一部分には同一符号を付し、第２実施形態の独自の部分についてのみ説明する。
【００２９】
図１２ないし図１４において、発射モータ１のモータ軸１ａには、ラチェット歯車４１と前記発射モータカム２とが一体に取付けられている。モータ軸１ａに沿ったラチェット歯車４１と発射モータカム２との配置関係は、前記第１実施形態と同一であって、発射モータ１のベース板１ｂと発射モータカム２との間にラチェット歯車４１が配置される関係となるが、第２実施形態のラチェット歯車４１は、第１実施形態のラチェット歯車１５に比較して相当に大きい。図１５に示されるように、ラチェット歯車４１の半径は、発射モータカム２の回転中心からその終端部分２ａまでの距離よりも僅かに小さい程度である。
【００３０】
また、発射モータ１の設置状態において、モータ軸１ａに取付けられたラチェット歯車４１は、ケース４２の内部に収容されていると共に、発射モータカム２は、ケース４２の外部に配置される。また、ケース４２の上端部には、前面側が閉塞されて背面側が開口された逆転防止部材収容部４２ａが上方に突出して一体に設けられていて、この逆転防止部材収容部４２ａに、背面側から逆転防止部材Ｅ２　が収容される。逆転防止部材Ｅ２　は、発射モータ１のモータ軸１ａに取付けられたラチェット歯車４１の僅かに斜上方に配置されて、前記ケース４２の逆転防止部材収容部４２ａの前板部４２ｂに支点ピン４３を介して回動可能に支持される支持部４４と、前記ラチェット歯車４１の外周の歯部４１ａと係合する係合爪４５と、前記ラチェット歯車４１の外周の歯部４１ａとの係合を解除すべく、全体を前記支点ピン４３を中心にして上方に回動させるためのつまみ状の解除操作部４６とを備えている。なお、図１２に示されるように、ケース４２は、発射モータ１のベース板１ｂと一体となって、前記発射装置Ａの背面部に取付けられる。
【００３１】
このため、遊技時には、図１５で実線、及び図１６で２点鎖線でそれぞれ示されるように、逆転防止部材Ｅ２　は、自重により、自身の係合爪４３ｂとラチェット歯車４１の外周のいずれかの歯部４１ａとが係合して、発射モータ１が停止しても、発射モータカム２は、逆転しないように、即ち「２個打ち」が発生しないようになっている。一方、上記した遊技機の製造時やホール設置後において、遊技機を停止させた状態で発射調整作業を行う際には、遊技機の背面側から逆転防止部材Ｅ２　の解除操作部４６を指先で掴んで、逆転防止部材Ｅ２　を上方に回動させると、逆転防止部材Ｅ２　の係合爪４５とラチェット歯車４１の歯部４１ａとの係合が解除されて、発射モータカム２が逆転可能となる。例えば、図１５で示される球供給準備開始位置Ｐ２　において、発射モータ１を停止させて、解除操作部４６によりラチェット歯車４１と逆転防止部材Ｅ２　との係合を解除すると、発射モータカム２は、引張りばね６の付勢力による槌３の発射位置の側への回動により、逆回転される。このように、逆転防止部材Ｅ２　の解除操作部４６を指先で掴んで、逆転防止部材Ｅ２　とラチェット歯車４１との係合を解除すると、槌３を手で引っ張ったり押したりして、槌先を発射位置に自由に誘導して、芯合せ調整を行うことができる。
【００３２】
また、第２実施形態では、発射モータ１のモータ軸１ａに取付けられるラチェット歯車４１が大きいために、同一の係合爪４５と係合可能な歯部４１ａの数が多くなって、一つの歯部４１ａの中心角が小さくなる。この結果、発射モータ１の停止時において発射モータカム２が逆転する角度が小さくなって、発射位置に２個の遊技球が同時に供給される「２個送り」を防止できる。
【００３３】
なお、上記各実施形態では、ラチェット歯車１５，４１には、その全周に歯部が形成してあるが、ラチェット歯車１５，４１は、発射モータカム２が球供給準備開始位置Ｐ２　から発射位置Ｐ３　の間に位置している状態においてのみ、逆転防止部材Ｅ１　，Ｅ２　の各係合爪１８，４５と係合すれば、「２個打ち」の発生を防止できる。よって、上記した２つの位置の間以外の部分においては、ラチェット歯車１５，４１と、逆転防止部材Ｅ１　，Ｅ２　の係合爪１８，４５とを係合させる必要はないので、この間の歯部を欠落させられる。この構成によって、発射モータカム２の回転中においてラチェット歯車１５，４１の歯部１５ａ，４１ａと逆転防止部材Ｅ１　，Ｅ２　との当接による騒音の発生を抑制できる。
【００３４】
また、上記した発射モータは、リサイクル（再利用）される場合がある。このリサイクルの場合には、モータとしての品質は勿論のこと、その外観に関しても、長期間に亘って良好に保つ（外観低下を防止する）必要がある。この課題達成のために、発射モータ１’の全体を箱状をしたプラスチック製のカバー２１で覆うことにより、使用中に発射モータ１’　の表面に埃類が付着するのを防止した。
【００３５】
図１７は、発射モータ１’の全体がプラスチック製のカバー２１で覆われた状態の斜視図であり、図１８は、同じく縦断面図であり、図１９は、カバー２１の斜視図であり、図２０は、発射モータ１’とカバー２１との分離状態を下方から見た斜視図である。この発射モータ１’は、直方体状をしていて、その前端面に正方形状のベース板３１が一体に取付けられている。このベース板３１の下辺部には、横方向に沿って所定間隔をおいて、カバー２１の係合爪２２に対して係合する一対の係合孔３２が形成されていると共に、その上辺部の中央には、カバー２１の上板部２３の前面側に形成された開口２４に挿入される突片３３が形成されている。なお、図２０において、３４は、ベース板３１に対して発射モータ１’を取付けるための上下一対のねじ孔を示し、３５は、ベース板３１を遊技盤の裏面側に固定するねじを挿通するために、その四隅に形成されたねじ孔を示し、３６は、モータ軸１’ａを挿通させるためのモータ軸挿通孔を示す。
【００３６】
一方、カバー２１は、前面が開口された箱状であって、その下板部２５には、先端部に前記係合爪２２が形成された一対の弾性片２６が形成されている。そして、カバー２１の背面板部２７から、上下の各板部２３，２５及び両側板部２８に至る部分には、それぞれ複数本のスリット状の放熱孔２９が形成されている。また、カバーの背面板部２７には、その中央部と四隅部との計５箇所に円形の放熱孔３０が設けられている。
【００３７】
そして、ベース板３１を介して発射モータ１’を遊技盤の裏面に装着して、カバー２１の上板部２３の開口２４に発射モータ１’の突片３３を挿入しておいて、前記発射モータ１’に対してカバー２１を後方から押し込むと、一対の弾性片２６の先端の各係合爪２２が、発射モータ１’の各係合孔３２に係合される。これにより、カバー２１の内部に発射モータ１’が収容された形態となって、該発射モータ１’の外側がカバー２１で覆われるので、使用中において、発射モータ１’の表面に埃類が付着するのを防止できると同時に、多数の放熱孔２９，３０によって、発射モータ１’の発熱が抑制される。なお、図１８において、３７は、発射モータ１’のベース板３１を遊技盤裏面の被取付部材３８に取付けているビスを示す。
【００３８】
なお、有色不透明のプラスチックでカバー２１を製作すれば、発射モータ１’や基板の日焼けも防止できて、一層リサイクルし易くなる。
【００３９】
【発明の効果】
本発明によれば、発射モータカムが、球供給準備開始位置から発射位置の間に位置している状態において、発射装置を停止させて、発射モータカムが逆転を開始しようとすると、逆転防止部材の逆転防止爪と、発射モータカムの側に取付けられたラチェット状の歯車とが係合して、発射モータカムが、その場で停止することにより、その逆転が防止されると同時に、前記槌は、その途中位置で停止させられる。そして、遊技者の操作によって発射装置が再作動されると、停止中の槌は、逆回転して、発射モータカムが発射位置に達して、槌との係合が解除されると、槌は、発射レールの側に弾発回動させられて、前記発射レール上に待機している１個の遊技球が打ち出される。よって、遊技球の「２個打ち」が防止される。
【図面の簡単な説明】
【図１】本発明に係る遊技機を構成する逆転防止部材Ｅ１　を備えた発射装置Ａ及び球供給装置Ｂの正面図である。
【図２】同様の部分を背面側から見た斜視図である。
【図３】同様の部分を背面側の異なる方向から見た斜視図である。
【図４】発射モータ１のベース板１ｂに逆転防止部材Ｅ１　が取付けられた状態を示す斜視図である。
【図５】発射モータカム２が基準位置Ｐ０　に位置している状態の発射装置Ａ及び球供給装置Ｂの背面図である。
【図６】発射モータカム２が球供給準備開始位置Ｐ２　に位置している状態の発射装置Ａ及び球供給装置Ｂの背面図である。
【図７】発射モータカム２が発射位置Ｐ３　に位置している状態の発射装置Ａ及び球供給装置Ｂの背面図である。
【図８】発射モータカム２が逆転して無用球供給開始位置Ｐ４　に位置している状態の発射装置Ａ及び球供給装置Ｂの背面図である。
【図９】無用球が供給されて「２個打ち」が発生する範囲において発射モータカム２の逆転が防止されている状態を示す発射装置Ａ及び球供給装置Ｂの背面図である。
【図１０】（イ），（ロ）は、それぞれ球供給片９の球受け部９ｃに球Ｒ’が保持されている状態、及び球受け部９ｃが上昇して、球Ｒ’が発射レール４に供給される状態を示す図である。
【図１１】発射モータカム２の回転角度に応じて発生する異なる状態を示す図である。
【図１２】本発明に係る遊技機を構成する逆転防止部材Ｅ２　を備えた発射装置Ａ及び球供給装置Ｂを背面側から見た斜視図である。
【図１３】発射モータ１に取付けられるラチェット歯車４１及び解除操作部４６を備えた逆転防止部材Ｅ２　を主体に示す分解斜視図である。
【図１４】ラチェット歯車４６及び逆転防止部材Ｅ２　が取付けられた発射モータ１の斜視図である。
【図１５】発射モータカム２が球供給準備開始位置Ｐ２　に位置している状態の逆転防止部材Ｅ２　を備えた発射装置Ａ及び球供給装置Ｂの背面図である。
【図１６】図１５の状態で、発射モータ１を停止させて、解除操作部４６によりラチェット歯車４１と逆転防止部材Ｅ２　との係合を解除して、槌３が発射位置まで回動された状態の背面図である
【図１７】発射モータ１’の全体がプラスチック製のカバー２１で覆われた状態の斜視図である。
【図１８】同じく縦断面図である。
【図１９】カバー２１の斜視図である。
【図２０】発射モータ１’とカバー２１との分離状態を下方から見た斜視図である。
【符号の説明】
Ａ：発射装置
Ｂ：球供給装置
Ｅ１　，Ｅ２　：逆転防止部材
Ｐ２　：球供給準備開始位置
Ｐ３　：発射位置
Ｒ：遊技球
Ｒ’：球（無用球）
１ａ：モータ軸
２：発射モータカム
３：槌
４：発射レール
１５，４１：ラチェット歯車
１８，４５：係合爪（逆転防止爪）
４６：解除操作部
【図１】
2004057813.tif 000003
【図２】
2004057813.tif 000004
【図３】
2004057813.tif 000005
【図４】
2004057813.tif 000006
【図５】
2004057813.tif 000007
【図６】
2004057813.tif 000008
【図７】
2004057813.tif 000009
【図８】
2004057813.tif 000010
【図９】
2004057813.tif 000011
【図１０】
2004057813.tif 000012
【図１１】
2004057813.tif 000013
【図１２】
2004057813.tif 000014
【図１３】
2004057813.tif 000015
【図１４】
2004057813.tif 000016
【図１５】
2004057813.tif 000017
【図１６】
2004057813.tif 000018
【図１７】
2004057813.tif 000019
【図１８】
2004057813.tif 000020
【図１９】
2004057813.tif 000021
【図２０】
2004057813.tif 000022